(57)【要約】  【課題】  釣竿を構成する竿体の周面への部品の装着方法の改善を図る。  【解決手段】  この方法は、魚釣りに用いる釣竿の竿体の周面に、釣糸ガイド，リールシート等の部品を装着するための方法である。そして、竿体１の周面に部品の固定部１０を載置する工程と、繊維を２方向にクロスするように引き揃えて構成されるシートからなるクロスシートを部品の固定部１０及び竿体１の周面に巻回する工程と、巻糸１７をクロスシートの周面に巻回する工程と、巻回した巻糸１７の周面にエポキシ樹脂をコーティングする工程とを含む。【選択図】  図２
2005229955.tif 000002
【特許請求の範囲】
【請求項１】
魚釣りに用いる釣竿の竿体の周面に、釣糸ガイド，リールシート等の部品を装着するための方法であって、
前記竿体の周面に前記部品の固定部を載置する工程と、
繊維を２方向にクロスするように引き揃えて構成されるシートからなるクロスシートを前記部品の固定部及び前記竿体の周面に巻回する工程と、
巻糸を前記クロスシートの周面に巻回する工程と、
前記巻回した巻糸の周面に合成樹脂をコーティングする工程と、
を含む方法。
【請求項２】
魚釣りに用いる釣竿の竿体の周面に、釣糸ガイド，リールシート等の部品を装着するための方法であって、
前記竿体の周面に前記部品の固定部を載置する工程と、
巻糸を前記部品の固定部及び前記竿体の周面に巻回する工程と、
繊維を２方向にクロスするように引き揃えて構成されるシートからなるクロスシートを前記巻糸の周面に巻回する工程と、
前記クロスシートの周面に合成樹脂をコーティングする工程と、
を含む方法。
【請求項３】
前記クロスシートとして、繊維を２方向にクロスするように引き揃えて構成されるシートからなる第１クロスシートと、前記第１クロスシートの繊維の引き揃え方向とは異なる２方向に繊維を２方向にクロスするように引き揃えて構成されるシートからなる第２クロスシートを用意し、前記２種類のクロスシートを順次巻回する、請求項１又は２に記載の方法。
【発明の詳細な説明】
【技術分野】
【０００１】
本発明は、魚釣りに用いる釣竿、特に、竿体の周面に釣糸を案内する釣糸ガイド等の部品を装着する方法に関する。
【背景技術】
【０００２】
魚釣りに用いられる竿体の周面には、様々な部品が装着されている。例えば、リールを脱着自在に装着するためのリールシートや、リールからの釣糸を案内するための釣糸ガイド等の部品である。このような釣糸ガイドやリールシートのような部品には、釣りをおこなっている際に大きな力が加わるので、竿体に対する十分な固定強度が要求される。そこで、一般に以下のような手法により、各部品は竿体の周面に装着されている。
【０００３】
例えば、釣糸ガイドは、竿体の長手方向に一定の間隔を隔てて固定される。この釣糸ガイドは、竿体周面に固定される部分である固定部分と、固定部分に連続してなり竿体周面に対して起立しているフレーム部分と、フレーム部分の先端に取り付けられるセラミックス等の硬質部材からなるガイドリングとを有する。そして、この固定部は竿体周面に於いて竿体と共に綿糸の撚糸等からなる巻糸で巻回され、この巻糸に合成樹脂をコーティングして固定されている。
【０００４】
リールシートに取り付けたリールから引き出された釣糸は、順次釣糸ガイドのガイドリングを挿通して案内される。このような釣糸から大きな力が釣糸ガイドに加わっても、不当にずれたり外れたりしないように、上述の巻糸等で配慮しているのである。もっとも、このような部品の竿体への装着強度に関しては、さらにその向上を求めるべく、様々な提案が為されている。例えば、チタン線材等を利用して部品を竿体に固定し、軽量化及び固定強度の向上を図ることなどを、本件出願人も提案した（特許文献１参照）。
【特許文献１】特開2004-016032号公報
【発明の開示】
【発明が解決しようとする課題】
【０００５】
しかし、従来の装着手法で装着した場合は、使用を繰り返しているうちに、部品に大きな力が繰り返し加えられることで、巻糸の周面にコーティングした合成樹脂の周面にクラックが生じ易い。特に、巻糸を竿体の周面に螺旋状に巻回するものであり、竿体の軸長方向において問題は少ないものの、周方向に於いてコーティングした合成樹脂の周面にクラックが発生しやすい。このようなクラックの発生は、見た目を損なうのみではなく、部品の固定強度の低下も招く恐れがある。
【０００６】
本発明は、係る問題点に鑑み竿体の周面への部品の装着方法の改善を図るものである。
【課題を解決するための手段】
【０００７】
本発明の１つの方法は、魚釣りに用いる釣竿の竿体の周面に、釣糸ガイド，リールシート等の部品を装着するための方法であって、以下の工程を含むものである。竿体の周面に部品の固定部を載置する工程。繊維を２方向にクロスするように引き揃えて構成されるシートからなるクロスシートを部品の固定部及び竿体の周面に巻回する工程。巻糸をクロスシートの周面に巻回する工程。巻回した巻糸の周面に合成樹脂をコーティングする工程。
【０００８】
このクロスシートの繊維の配向方向は、例えば、竿体の軸長方向と周方向とにそれぞれ配向され、若しくは、竿体の軸長方向から斜めに左右にそれぞれ傾斜する方向に配向される。このようなクロスシートは、例えば、炭素繊維やガラス繊維等の強化繊維の他、ナイロン繊維等の繊維を編み込んだものである。このようなクロスシートを積層することで、係る繊維の配向方向の固定強度が向上し、部品に大きな力が加わっても、コーティングした合成樹脂の周面にクラックなどが発生しにくい。
【０００９】
また、以下のようにクロスシートを利用することも可能である。即ち、本発明の別の方法は、魚釣りに用いる釣竿の竿体の周面に、釣糸ガイド，リールシート等の部品を装着するための方法であって、竿体の周面に部品の固定部を載置する工程と、巻糸を部品の固定部及び竿体の周面に巻回する工程と、繊維を２方向にクロスするように引き揃えて構成されるシートからなるクロスシートを巻糸の周面に巻回する工程と、クロスシートの周面に合成樹脂をコーティングする工程とを含む。
【００１０】
さらに、クロスシートとして、繊維を２方向にクロスするように引き揃えて構成されるシートからなる第１クロスシートと、第１クロスシートの繊維の引き揃え方向とは異なる２方向に繊維を２方向にクロスするように引き揃えて構成されるシートからなる第２クロスシートを用意し、これらの２種類のクロスシートを順次巻回してもよい。複数の異なる方法へ繊維が配向され、各種方向への固定強度が向上し、さらにクラックの発生が防止し得る。
【発明の効果】
【００１１】
本発明によれば、竿体の周面に取り付けられた釣り用部品の取り付け部分において、不当なクラックなどが生じ難く、その取り付け強度も向上する。
【発明を実施するための最良の形態】
【００１２】
［第１実施形態］
本発明の第１実施形態について、図面を参照しつつ説明する。
【００１３】
本発明の方法により製造した竿体の１つである元竿１に図１に示す。この元竿１の穂先側には、他の竿体がさらに振出若しくは並継形式等の手法により連結される。
【００１４】
元竿１は釣竿を構成する複数の竿体の中で最も竿元側に配置される太径の竿体であり、炭素繊維等の強化繊維に合成樹脂を含浸したプリプレグ素材からなる先細り筒状の部品である。その穂先側端部は他の竿体との連結のための連結部分が形成される。また、元竿１の竿元側の周面にリールＲを脱着自在に装着可能なリールシート２が装着されている。また、この元竿１はいわゆる中通し竿であり、穂先側の周面にはリールＲからの釣糸を竿体内に導入するための長孔の釣糸導入孔が形成されている。そして、この釣糸導入孔を軸長方向に跨ぐようにして釣糸導入ガイド３が装着されている。釣糸Ｌはこの釣糸導入ガイド３に導かれて、釣糸導入孔から竿体内に導入される。そして、他の竿体の内部を挿通して、最も穂先側に位置する穂先竿の穂先側端部から外部に導出される。
【００１５】
釣糸導入ガイド３の竿元側の部分を、図２に詳しく示す。この釣糸導入ガイド３は、例えば、一枚の金属板を打ち抜き加工し折り曲げて形成される。一枚の金属板の軸長方向の両端は元竿１の周面に合わせて折り曲げられて固定部１０となっている。金属板の他の部分は元竿１の周面から離れて釣糸導入孔を軸長方向に跨ぎつつ前後の固定部１０を連結する連結部１１となっている。そして、連結部１１の竿元側の傾斜面には貫通孔が形成され、この貫通孔にセラミックスなどからなる硬質リング１２がはめ込まれている。
【００１６】
この釣糸導入ガイド３の前後それぞれの固定部１０は、図２に示すような積層構造により元竿１の周面の所定の位置に固定されている。即ち、固定部１０を覆う第１層１５と、第１層を覆う第２層１６と、第２層１６を覆う巻糸１７及び樹脂コーティング層１８である。この固定部１０の元竿１の周面への固定手順は以下のようなものである。
【００１７】
図３に示すように、元竿１の釣糸導入孔の前後に釣糸導入ガイド３の固定部１０がそれぞれ載置されるように、釣糸導入ガイド３を配置する。そして、まず、前後ぞれぞれの固定部１０の周面と共に元竿１の周面を覆うように、第１クロスシートＸ１を巻回する。この第１クロスシートＸ１は、ナイロン等の繊維を異なる２方向に配向させたシートである。具体的には、この第１クロスシートＸ１は、元竿１の周面に巻回するに当たり、元竿１の軸長方向からそれぞれ逆の方向に斜行するように繊維を２方向にクロスするように引き揃えたものである（図３参照）。その厚みは０．２mm程度のものとする。この第１クロスシートＸ１が上述の第１層１５を形成する。第１クロスシートＸ１は元竿１の周面に１プライ分程度巻回される。第１クロスシートＸ１は、固定部１０の全面を完全に覆うように巻回される。
【００１８】
次に、この巻回した第１クロスシートＸ１の周面に、さらに第２クロスシートＸ１を巻回する。この第２クロスシートＸ２は、第１クロスシートＸ１の繊維の引き揃え方向とは異なる２方向に繊維を２方向にクロスするように引き揃えたものである。その繊維の種類などは第１クロスシートＸ１と同様である。具体的には、この第２クロスシートＸ２の繊維方向は、元竿１の軸長方向及び周方向という２つの方向に、繊維が相互に直交するように引き揃えられている（図４参照）。この第２クロスシートＸ２が上述の第２層１６を形成する。その巻回数も上記第１クロスシートＸ１と同様である。
【００１９】
その後、図５に示すように、第２クロスシートＸ２の周面に、巻糸１７を螺旋状に隙間無く巻回して行く。若しくは、数ミリ程度の間隔を隔てて螺旋状に巻糸１７を巻回する。間隔を隔てることで、後述のコーティング用の樹脂がクロスシートへ浸透しやすくなる。この巻糸１７としては、綿糸の撚糸等や、金属線材等を適宜選択して用いる。そして、さらに、この巻回した巻糸１７の周面をエポキシ系樹脂でコーティングする。このエポキシ系樹脂は０．５mm程度の厚さでその周面全体にわたって塗布される。このエポキシ系樹脂が樹脂コーティング層１８を形成することになる。
【００２０】
このような方法により、釣糸導入ガイド３を元竿１の周面に固定すると、積層されている複数のクロスシートＸ１，Ｘ２の繊維の配向方向の固定強度が十分に向上する。このため、釣糸Ｌから釣糸導入ガイド３に大きな力が加わっても、樹脂コーティング層１８の周面にクラックなどが発生しにくい。
【００２１】
なお、この実施形態においては、中通し竿に於ける釣糸導入ガイドに関して説明しているが、外通し竿の釣糸ガイドに対して本発明の適用することも当然に可能である。
【００２２】
［第２実施形態］
第１実施形態の変形例を図６に示す。この釣糸導入ガイド３は、以下のような手順で元竿１の周面の所定の位置に固定されている。
【００２３】
上記実施形態と同様に、元竿１の釣糸導入孔の前後に釣糸導入ガイド３の固定部１０がそれぞれ載置されるように、釣糸導入ガイド３を配置する。そして、まず、前後ぞれぞれの固定部１０の周面と共に元竿１の周面を覆うように、巻糸２７を螺旋状に隙間無く巻回して行く。若しくは、数ミリ程度の間隔を隔てて螺旋状に巻糸２７を巻回する。この巻糸２７としては、上記第１実施形態と同様に、綿糸の撚糸等や、金属線材等を適宜選択して用いる。
【００２４】
続いて、その周面に、第１層２５を形成するための第１クロスシートを巻回し、さらにその周面に第２層２６を形成するための第２クロスシートを巻回する。これら第１クロスシート・第２クロスシートは、上記第１実施形態のものを利用し、その繊維の配向方法なども同様である。もっとも、繊維の配向方向は任意に選択できる。
【００２５】
その後、第２クロスシートの周面をエポキシ系樹脂でコーティングして、樹脂コーティング層２８を形成する。
【００２６】
このような手法により釣糸導入ガイド３を元竿１に固定しても、クラックの発生などを防止し、その固定力を十分に向上させることができる。
【００２７】
［第３実施形態］
さらに別の変形例として、元竿１のリールシート２の取り付け手法を図７示す。
【００２８】
リールシート２は、図７に詳しく示すように、リールの脚部を載置する載置面を有する略板状の本体部４１を有する。本体部４１は金属若しくは硬質合成樹脂の加工品であり、元竿１の周面に取り付けられている。元竿１の周面への取り付け面（裏面）は、元竿１の周面の形状にあわせた湾曲面となっており、表面は平面化して載置面が形成されている。
【００２９】
本体部４１の載置面の穂先側には、竿元側に開口する固定フード４２が形成される。リールＲの脚部の一端が挿入される部分である。また、本体部４１の載置面の左右両側にはレール溝が形成され、このレール溝に噛み合わされて軸長方向にスライド移動自在に移動フード４３が取り付けられている。移動フード４３は穂先側に開口しており、リールＲの脚部の他端が収納される。そして、移動フード４３と固定フード４２とでリールＲの脚部を挟み込んで固定する。なお、移動フード４３には任意の位置で位置決めするためのロック部４４が連結される。
【００３０】
この本体部４１の前後の両端は、元竿１，本体部４１を共に線材等で巻回することで、元竿１上に固定されている。具体的な固定態様は以下のようなものである。
【００３１】
元竿１の周面に載置されている本体部４１の端部の周面と共に元竿１の周面を覆うように、第１層４５を形成するためのクロスシートを巻回する。このクロスシートとしては、ナイロン等の繊維を異なる２方向に配向させたシートである。第１実施形態の第１クロスシートＸ１と同様に、元竿１の周面に巻回するに当たり、元竿１の軸長方向からそれぞれ逆の方向に斜行するように繊維を２方向にクロスするように引き揃えたものを利用できる。
【００３２】
そして、その第１層４５の周面に、さらに巻糸４７を螺旋状に隙間無く巻回して行く。若しくは、数ミリ程度の間隔を隔てて螺旋状に巻糸４７を巻回する。この巻糸４７としては、上記第１実施形態と同様に、綿糸の撚糸等や、金属線材等を適宜選択して用いる。続いて、エポキシ系樹脂でコーティングして、樹脂コーティング層を形成する。
【図面の簡単な説明】
【００３３】
【図１】本発明の第１実施形態に係る元竿１を示した図。
【図２】図１の元竿１の釣糸導入ガイド３の装着部分付近を示した図。
【図３】図１の元竿１の釣糸導入ガイド３の装着工程を示した図。
【図４】図３の装着工程の参考図。
【図５】図１の元竿１の釣糸導入ガイド３の装着工程を示した図。
【図６】本発明の第２実施形態を示した図。
【図７】本発明の第３実施形態を示した図。
【符号の説明】
【００３４】
１  元竿
２  リールシート
３  釣糸導入ガイド
１０  固定部
１５，２５  第１層
１６，２６  第２層
１７，２７  巻糸
１８，２８  樹脂コーティング層
Ｘ１  第１クロスシート
Ｘ２  第２クロスシート
【図１】
2005229955.tif 000003
【図２】
2005229955.tif 000004
【図３】
2005229955.tif 000005
【図４】
2005229955.tif 000006
【図５】
2005229955.tif 000007
【図６】
2005229955.tif 000008
【図７】
2005229955.tif 000009